(57)【要約】【課題】乾燥対象物の収容及び乾燥後の乾燥対象物の取出しが容易で、かつ、収容物の乾燥が容易なこと。【解決手段】本体部１０の観音開状に中央が左右に開く開閉扉２０を下にして、平面上に置いたとき本体部１０は密閉状態となる。空気供給機構５０の下端が乾燥空気を供給するために開口しているが、本体部１０の上部に乾燥空気を供給すると共に、収容物の落下を防止するものであるから、本体部１０に対して上から収容物を自由に投入することができる。本体部１０を持ち上げる場合は、吊り上げフック３１をクレーンのフックに引っ掛けて持上げれば、吊り上げフック３１は開閉扉２０に軸支された二対の操作杆２３，２４が上方向に持上げられるから、本体部１０の開閉扉２０は密閉状態を維持したまま、移動が可能となる。【選択図】        図２
2004263879.tif 000002
【特許請求の範囲】
【請求項１】
内部を空間とした略四角筒状の本体部と、
前記本体部の下部に配設され、下端が開口し、前記本体部の上部に乾燥空気を供給すると共に、収容物の落下を防止する空気供給機構と、
前記本体部の下端に回動自在に取付けられ、前記空気供給機構の下端の開口を常に開口状態とし、観音開状に中央が左右に開く開閉扉と、
前記本体部の側面の略中央に沿って昇降自在とした吊り上げフックと、
前記吊り上げフックに一端が取付けられ、他端が各開閉扉に軸支された二対の操作杆と、
前記本体部の少なくとも対向する側面に外方向に突出したストッパーと
を具備することを特徴とする乾燥用コンテナ。
【請求項２】
内部を空間とした略四角筒状の本体部と、
前記本体部の下部に配設され、下端が開口し、前記本体部の上部に乾燥空気を供給すると共に、収容物の落下を防止する空気供給機構と、
前記本体部の下端に回動自在に取付けられ、前記空気供給機構の下端の開口を常に開口状態とし、観音開状に中央が左右に開く開閉扉と、
前記本体部の側面の略中央に沿って昇降自在とした移動子と、
前記移動子に取付けられた吊り上げフックと、
前記移動子に一端が取付けられ、他端が吊り上げフックに取付けられた二対の連結杆と、
前記移動子に一端が軸支され、他端が各開閉扉に軸支された二対の操作杆と、
前記本体部の少なくとも対向する側面に外方向に突出したストッパーと
を具備することを特徴とする乾燥用コンテナ。
【請求項３】
前記空気供給機構は、直方体として、対向する面を金網で形成したことを特徴とする請求項１または請求項２に記載の乾燥用コンテナ。
【請求項４】
前記空気供給機構は、上方に頂点を形成した二等辺三角形状としたことを特徴とする請求項１または請求項２に記載の乾燥用コンテナ。
【発明の詳細な説明】
【０００１】
【発明の属する技術分野】
本発明は、解体現場で塵埃が発生しないように水をかけた後、解体した石膏ボード等の建築内装資材を再利用する際に石膏成分と紙成分とを分離可能なように乾燥する乾燥用コンテナに関するものであり、汚泥の乾燥、穀類の乾燥、焼成前の陶器の乾燥、洗濯物等にも使用でき、それら乾燥の必要なものを収容する乾燥用コンテナに関するものである。
【０００２】
【従来の技術】
【先行文献１】実開平６−３８４５７号公報
実開平６−３８４５７号公報は、箱型の容器と、この容器の内部に配設されて上方の生穀物収納空間と下方の通気路を仕切る通風板と、この容器の側部に装着された送風部とから成る生穀物用コンテナにおいて、送風部のファンにより通気路に送り込まれる空気を暖めるヒータを設け、湿度が高い場合や温度が低い場合にも、生穀物を十分に乾燥させることができることを特徴とするものである。
【０００３】
必要に応じてヒータを駆動し、ファンにより通気路に吸い込まれる外部の空気を暖めることにより、湿度が高い場合や温度が低い場合にも、生穀物を十分に乾燥させることができる。
【０００４】
【発明が解決しようとする課題】
このように、上記公報に掲載の技術は、箱型の容器内に生穀物をコンテナ等によって投入し、そこで乾燥することができるものの、乾燥後に穀物を移動しようとすると、箱型の容器からコンテナ等によって取り出す必要があり、乾燥対象物の出し入れが容易に行うことができなかった。
【０００５】
また、仮に底板を外すとなると、底板を開閉する開閉機構及びその閉状態を維持するキーが必要となり、特に、そのキー操作は乾燥対象物の量によって、キー自体に当該荷重が加わり、キー操作が自由にできないという問題があった。
【０００６】
そこで、本発明は、乾燥対象物の収容及び乾燥後の乾燥対象物の取出しが、キー操作を行うことなく容易で、かつ、収容物の乾燥が容易な乾燥用コンテナの提供を課題とするものである。
【０００７】
【課題を解決するための手段】
請求項１の発明にかかる乾燥用コンテナは、内部を空間とした略四角筒状の本体部と、前記本体部の下端に回動自在に取付けられ、観音開状に中央が左右に開く開閉扉と、前記本体部の側面の略中央に沿って昇降自在とした吊り上げフックと、前記吊り上げフックに一端が取付けられ、他端が各開閉扉に軸支された二対の操作杆と、前記本体部の少なくとも対向する側面に外方向に突出したストッパーと、前記本体部の下部に配設され、下端が開口し、前記本体部の上部に乾燥空気を供給する空気供給機構とを具備するものである。
【０００８】
本体部の観音開状に中央が左右に開く開閉扉を下にして、平面上に置いたとき本体部は密閉状態となる。前記空気供給機構の下端が乾燥空気を供給するために開口しているが、前記本体部の上部に乾燥空気を供給すると共に、収容物の落下を防止するものであるから、本体部に対して上から収容物を自由に投入することができる。本体部を持ち上げる場合は、吊り上げフックをクレーンのフックに引っ掛けて持上げれば、吊り上げフックは各開閉扉に軸支された二対の操作杆が上方向に持上げられるから、本体部の開閉扉は密閉状態を維持したまま、移動が可能となる。ここで、本体部の収容物を排出する場合には、クレーンのフックを下降させると本体部が下降する。そして、本体部の対向する側面に外方向に突出したストッパーを生産ラインのホッパーの両側に引っ掛ける。この状態で更にクレーンのフックを下降させると、本体部の下降が阻止され、吊り上げフックのみが下降する。吊り上げフックの下降により、開閉扉の中央が左右に開き、乾燥対象物を排出することができる。乾燥対象物の乾燥は、本体部を温風送風機６２の上に載置し、前記空気供給機構から温風または乾燥空気を供給することにより、乾燥対象物を乾燥することができる。特に、乾燥対象物が石膏ボード片であっても、横方向から温風または乾燥空気を供給するものであるから、乾燥対象物に温風または乾燥空気が回りやすく容易に乾燥が行われる。このように、開閉扉のキー操作をすることなく、本体部から乾燥対象物の投入及び取出しが自由にできる。
【０００９】
ここで、本体部は、通常、鋼板または木材板で形成され、略四角枠体に形成される。なお、下部をホッパーの形状に合致させることもできる。また、本体部の下端に回動自在に取付けられ、観音開状に中央が左右に開く開閉扉は、本体部の底面端部を覆うように軸支するのが望ましい。通常、鋼板または木材板で形成され、空気供給機構の下端の開口に対応して、開口した形状となっている。吊り上げフックは、本体部の側面の略中央に沿って昇降自在としたもので、具体的には、本体部の側面の略中央に上下方向に伸びるレールを配設し、そのレールを吊り上げフックが摺動する構造とするのが望ましい。そして、吊り上げフックに一端が、他端が各開閉扉に軸支された二対の操作杆は、両端部が軸支されておればよいから、棒材、板材、鎖、チェーン、ワイヤー等を使用することができる。本体部の少なくとも対向する側面に外方向に突出したストッパーは、本体部に上端開口に設けたフランジとすることができる。当然ながら、４面に形成することができる。また、本体部の高さの中間位置に、配設することもできる。更に、本体部の上部に乾燥空気を供給する空気供給機構は、本体部の高さの１００％まで直接温風または乾燥空気を供給することを意味するものではなく、少なくとも２０〜３０％以上の高さを有しておればよく、温風または乾燥空気が効率よく収容物を乾燥できる空気まわりであればよい。
【００１０】
請求項２の発明にかかる乾燥用コンテナは、内部を空間とした角筒状の本体部と、前記本体部の下端に回動自在に取付けられ、観音開状に中央が左右に開く開閉扉と、前記本体部の側面の略中央に沿って昇降自在とした移動子と、前記移動子に取付けられた吊り上げフックと、前記移動子に一端が取付けられ、他端が吊り上げフックに取付けられた二対の連結杆と、前記移動子に一端が軸支され、他端が各開閉扉に軸支された二対の操作杆と、前記本体部の少なくとも対向する側面に外方向に突出したストッパーと、前記本体部の下部に配設され、下端が開口し、前記本体部の上部に乾燥空気を供給する空気供給機構とを具備するものである。
【００１１】
本体部の観音開状に中央が左右に開く開閉扉を下にして、平面上に置いたとき本体部は密閉状態となる。前記空気供給機構の下端が乾燥空気を供給するために開口しているが、前記本体部の上部に乾燥空気を供給すると共に、収容物の落下を防止するものであるから、本体部に対して上から収容物を自由に投入することができる。本体部を持ち上げる場合は、吊り上げフックをクレーンのフックに引っ掛けてかけて持上げれば、直接連結されている移動子も上昇し、移動子は各開閉扉に軸支された二対の操作杆が上方向に持上げられるから、本体部の開閉扉は密閉状態を維持したまま、移動が可能となる。ここで、本体部の収容物を排出する場合には、クレーンのフックを下降させると本体部が下降する。そして、本体部の対向する側面に外方向に突出したストッパーを生産ラインのホッパーの両側に引っ掛ける。この状態で更にクレーンのフックを下降させると、移動子も下降し、本体部の下降が阻止され、吊り上げフック及び移動子のみが下降する。吊り上げフック及び移動子の下降により、開閉扉の中央が左右に開き、乾燥対象物を排出することができる。乾燥対象物の乾燥は、本体部を温風送風機の上に載置し、前記空気供給機構から温風または乾燥空気を供給することにより、乾燥対象物を乾燥することができる。特に、乾燥対象物が石膏ボード片であっても、横方向から温風または乾燥空気を供給するものであるから、乾燥対象物に温風または乾燥空気が回りやすく容易に乾燥が行われる。このように、開閉扉のキー操作をすることなく、本体部から乾燥対象物の投入及び取出しが自由にできる。
【００１２】
ここで、本体部、開閉扉、空気供給機構、ストッパーの構造は請求項１と同様である。請求項２の吊り上げフックは、請求項１の吊り上げフックと本体部の側面の略中央に沿って昇降自在とした移動子とに分離したもので、具体的には、本体部の側面の略中央に上下方向に伸びるレールを配設し、そのレールを吊り上げフックが摺動する移動子とその移動子と一体に接続された吊り上げフックとからなり、この吊り上げフックはクレーンのフックに掛かりやすくするものである。そして、吊り上げフックと移動子との間は、棒材、板材、鎖、チェーン、ワイヤー等を使用して連結することができる。
【００１３】
請求項３の発明にかかる乾燥用コンテナの前記空気供給機構は、直方体として、対向する面を金網で形成したものである。したがって、乾燥対象物を下方から落下させる場合、本体部の水平断面開口が同一面積であるから、乾燥対象物を一揆に落下させるのに好適となる。
【００１４】
請求項４の発明にかかる乾燥用コンテナの前記空気供給機構は、上方に頂点を形成した二等辺三角形状としたものである。したがって、乾燥対象物を下方から落下させる場合、本体部の水平断面開口が徐々に狭くなっているから、乾燥対象物を一揆に落下させることなく、徐々に落下させるのに好適である。
【００１５】
【発明の実施の形態】
以下、本発明の実施の形態について説明する。
【００１６】
図１は本発明の実施の形態の乾燥用コンテナと乾燥装置の組み合わせを示す正面図、図２は本発明の実施の形態の乾燥用コンテナと乾燥装置の組み合わせを示す側面図、図３は本発明の実施の形態の乾燥用コンテナの扉開放状態を示す正面図である。
【００１７】
図１乃至図３において、実施の形態１の乾燥用コンテナは、内部を乾燥しようとする収容物（乾燥対象物）を収容する空間とした略四角筒状の本体部１０は、鉄板、ステンレス板または木材板で形成され、上端及び下端はＬ鋼でフランジ１１ａ，１１ｂを形成している。
【００１８】
本体部１０の対向面の中央にはＨ鋼がレール３０として配設されていて、Ｌ鋼からなるフランジ１１ａ，１１ｂに接続されている。このフランジ１１ａは、本体部１０の少なくとも対向する側面に外方向に突出した本実施の形態のストッパー４０を構成している。
【００１９】
本体部１０の下端に回動自在に取付けられた開閉扉２０は、観音開状に中央が左右に開く１対の凹状に形成した扉２１，２２からなり、１対の扉２１，２２は、本体部１０の下端に軸支部２１ａ，２２ａを有している。
【００２０】
本体部１０の側面の略中央のレール３０に沿って昇降自在とした吊り上げフック３１は、レール３０を構成するＨ鋼を左右両側から保持し、容易に離脱しない構造となっている。レール３０に沿って摺動する上下動は、自在に行われる。
【００２１】
操作杆２３，２４は、吊り上げフック３１に一端が取付けられ、他端が開閉扉２０の各扉２１と扉２２に軸支されており、吊り上げフック３１がレール３０の最下位置にあるとき、扉２１と扉２２が７０〜８０度程度開放するように設定し、吊り上げフック３１がレール３０の最上位置にあるとき、本体部１０の下端の開口に対して扉２１と扉２２が密閉状態となるように設定している。
【００２２】
空気供給機構５０は、本体部１０の下部に配設され、下端が開口し、本体部１０の上部に乾燥空気を供給する略直方体を呈している。空気供給機構５０は、対向する広い面積を上下方向に並行する棒材で網５１を形成し、乾燥対象物が上下に摺動（移動）しやすく形成されている。上面及び両側面は板材でコ字状の枠５２を形成している。空気供給機構５０の開口側は２本の並行する角筒からなる支持脚５３で保持されている。なお、本実施の形態では、空気供給機構５０は対向する広い面積を上下方向に並行する棒材で網５１を形成したものであるが、本発明を実施する場合には、メタルラス、ワイヤラス等の既成の網を使用することができる。
【００２３】
一方、乾燥装置は、次のように構成されている。
【００２４】
ハウジング６０には５面が閉じられており、内部には電動機６１及び当該電動機６１で駆動される温風送風機６２及びバーナ６３を内蔵している。また、電動機６１及びバーナ６３を制御する制御器６４を有している。ここで、温風送風機６２で形成された空気流は、ハウジング６０外から空気を取り入れると共に、バーナ６３の重油、軽油等の燃焼熱エネルギーを取り入れ、加圧して空気供給機構５０の開口側に一致させた給気路６５に送給する。
【００２５】
このように構成された本実施の形態の乾燥用コンテナは、次のように使用される。
【００２６】
まず、本体部１０の観音開状に中央が左右に開く開閉扉２０を下にして、ハウジング６０の上面上に置くことにより、空気供給機構５０の上端に対応する位置を除き、本体部１０の下端をハウジング６０の上部に密閉状態となる。吊り上げフック３１は本体部１０の上部から突出状態となる。本体部１０の下部は、空気供給機構５０の下端が温風または乾燥空気を供給するために開口しているから、ハウジング６０の給気路６５から本体部１０の上部に温風または乾燥空気を供給する空気路を構成する。これによって、本体部１０は、収容物の落下を防止する容器構造となる。なお、空気供給機構５０の上端に対応する位置は、観音開状に中央が左右に開く開閉扉２０が略凹状に形成されているから、後述する空気供給機構６５からの空気路が形成される。
【００２７】
この状態で、本体部１０に対して上から収容物を自由に投入することができる。本体部１０を持ち上げる場合は、吊り上げフック３１をクレーンのフックにワイヤーを介して引っ掛けて持上げれば、吊り上げフック３１は各開閉扉２０に軸支された二対の操作杆２３，２４が上方向に持上げられるから、本体部１０の開閉扉２０は密閉状態を維持したまま、移動が可能となる。
【００２８】
乾燥対象物の乾燥は、本体部１０をハウジング６０の温風送風機６２の上に載置し、空気供給機構５０の上端に対応する位置が観音開状に中央が左右に開く各開閉扉２０が略凹状に空間が形成されているから、ハウジング６０の空気供給機構６５から温風または乾燥空気を供給することにより、乾燥対象物を乾燥することができる。特に、本体部１０の乾燥対象物が石膏ボード片であっても、横方向から温風または乾燥空気を供給するものであるから、乾燥対象物に温風または乾燥空気が回りやすく容易に乾燥が行われる。
【００２９】
ここで、本体部１０の収容物を排出する場合には、クレーンのフックを下降させると本体部１０が下降する。そして、本体部１０の対向する側面に外方向に突出したストッパー４０を生産ラインのホッパーの両側の建造物７０に引っ掛ける。この状態で更にクレーンのフック及びワイヤーを下降させると、本体部１０の下降が阻止され、吊り上げフック３１のみが下降する。吊り上げフック３１の下降により、開閉扉２０の中央が左右に徐々に開き、乾燥対象物を本体部１０の下方から排出することができる。
【００３０】
本実施の形態の乾燥用コンテナは、内部を空間とした略四角筒状の本体部１０と、本体部１０の下端に回動自在に取付けられ、観音開状に中央が左右に開く開閉扉２０と、本体部１０の側面の略中央に沿って昇降自在とした吊り上げフック３１と、吊り上げフック３１に一端が取付けられ、他端が開閉扉２０に軸支された二対の操作杆２３，２４と、本体部１０の少なくとも対向する側面に外方向に突出したストッパー４０と、本体部１０の下部に配設され、下端が開口し、本体部１０の上部に乾燥空気を供給する空気供給機構５０とを具備する。
【００３１】
本体部１０の観音開状に中央が左右に開く開閉扉２０を下にして、平面上に置いたとき本体部１０は密閉状態となる。空気供給機構５０の下端が乾燥空気を供給するために開口しているが、本体部１０の上部に乾燥空気を供給すると共に、収容物の落下を防止するものであるから、本体部１０に対して上から収容物を自由に投入することができる。本体部１０を持ち上げる場合は、吊り上げフック３１をクレーンのフックに引っ掛けて持上げれば、吊り上げフック３１は開閉扉２０に軸支された二対の操作杆２３，２４が上方向に持上げられるから、本体部１０の開閉扉２０は密閉状態を維持したまま、移動が可能となる。ここで、本体部１０の収容物を排出する場合には、クレーンのフックを下降させると本体部１０が下降する。そして、本体部１０の対向する側面に外方向に突出したストッパー４０を生産ラインのホッパーの両側等に引っ掛ける。この状態で更にクレーンのフックを下降させると、本体部１０の下降が阻止され、吊り上げフック３１のみが下降する。吊り上げフック３１の下降により、開閉扉２０の中央が左右に開き、乾燥対象物を排出することができる。乾燥対象物の乾燥は、本体部１０を温風送風機６２の上に載置し、前記空気供給機構５０から温風または乾燥空気を供給することにより、乾燥対象物を乾燥することができる。特に、乾燥対象物が石膏ボード片であっても、横方向から温風または乾燥空気を供給するものであるから、乾燥対象物に温風または乾燥空気が回りやすく容易に乾燥が行われる。
【００３２】
ここで、本実施の形態の乾燥用コンテナは、吊り上げフック３１をクレーンのフックにワイヤーを介して引っ掛けていた。しかし、直接、吊り上げフック３１をクレーンのフックに引っ掛けることができる。
【００３３】
即ち、吊り上げフック３１からレール３０に沿って摺動する上下動する機能として、移動子３２を分離すればよい。
【００３４】
図４は本発明の実施２の形態の乾燥用コンテナと乾燥装置の組み合わせを示す正面図、図５は本発明の実施２の形態の乾燥用コンテナの扉開放状態を示す正面図である。なお、図中、上記実施の形態と同一番号または符号は同一または相当する構成部分を示すものであり、ここでは、重複する説明を省略する。
【００３５】
このとき、本実施の形態にかかる乾燥用コンテナは、内部を空間とした角筒状の本体部１０と、本体部１０の下端に回動自在に取付けられ、観音開状に中央が左右に開く開閉扉２０と、本体部１０の側面の略中央に沿って昇降自在とした移動子３２と、移動子３２に取付けられた吊り上げフック３１と、移動子３２に一端が取付けられ、他端が吊り上げフック３１に取付けられた二対の連結杆３３と、移動子３２に一端が軸支され、他端が各開閉扉２０に軸支された二対の操作杆２３，２４と、本体部１０の少なくとも対向する側面に外方向に突出したストッパー４０と、本体部１０の下部に配設され、下端が開口し、本体部１０の上部に乾燥空気を供給する空気供給機構５０とを具備する構成とすることができる。
【００３６】
この実施の形態では、本体部１０の観音開状に中央が左右に開く開閉扉２０を下にして、ハウジング６０の上に置いたとき本体部１０はハウジング６０の上面と密閉状態となる。空気供給機構５０の下端が温風または乾燥空気を供給するために開口しているが、本体部１０の上部に温風または乾燥空気を供給すると共に、収容物の落下を防止できるから、本体部１０に対して上から収容物を自由に投入することができる。
【００３７】
また、上記実施例の空気供給機構５０は、本体部１０に対して１個配設したものであったが、本発明を実施する場合には、次のように構成することもできる。
【００３８】
ところで、図６は本発明の実施３の形態の乾燥用コンテナの扉開放状態を示す正面図、図７は同じく側面図、図８は同じく平面図である。なお、図中、上記実施の形態と同一番号または符号は同一または相当する構成部分を示すものであり、ここでは、重複する説明を省略する。
【００３９】
上記実施例の空気供給機構５０は、本体部１０に対して１個配設したものであるが、図６乃至図８はパンチングメタルで中央部に設けた２列の先端を鋭角とした略五角形状の箱体からなる空気供給機構５０ａ，５０ｂ、本体部１０の正面板及び背面板に各１列形成した空気供給機構５０ｃ，５０ｄが設けられている。即ち、空気供給機構５０ａ，・・・，５０ｄのように、複数に分割することによって乾燥対象物に対する乾燥空気、温風の周りをよくすることができる。この種の空気供給機構５０ａ，・・・，５０ｄは、幅狭にならざるを得ないから、機械的強度を上げる必要がある。
【００４０】
当然ながら、ハウジング６０の空気供給機構６５は、空気供給機構５０ａ，・・・，５０ｄに対応して形成する必要がある。
【００４１】
本体部１０を持ち上げる場合は、吊り上げフック３１をクレーンのフックに引っ掛けてかけて持上げれば、直接連結されている移動子３２も上昇し、移動子３２は各開閉扉２０に軸支された二対の操作杆２３，２４が上方向に持上げられるから、本体部１０の開閉扉２０は密閉状態を維持したまま、移動が可能となる。また、上記実施の形態と同様に実施できる。
【００４２】
ここで、本体部１０の収容物を排出する場合には、クレーンのフックを下降させると本体部１０が下降する。そして、本体部１０の対向する側面に外方向に突出したストッパー４０を生産ラインのホッパー等の建造物７０の両側に引っ掛ける。この状態で更にクレーンのフックを下降させると、移動子３２も下降し、本体部１０の下降が阻止され、吊り上げフック３１及び移動子３２のみが下降する。吊り上げフック３１及び移動子３２の下降により、開閉扉２０の中央が左右に開き、乾燥対象物を排出することができる。
【００４３】
このように、本体部１０、開閉扉２０、空気供給機構５０、ストッパー４０の構造は請求項１と同様である。この実施の形態の吊り上げフック３１は、上記実施の形態と同様に、吊り上げフック３１と本体部１０の側面の略中央に沿って昇降自在とした移動子３２とに分離したもので、具体的には、本体部１０の側面の略中央に上下方向に伸びるレール３０を配設し、そのレール３０を摺動する移動子３２とその移動子３２と一体に接続された吊り上げフック３１とからなり、この吊り上げフック３１はクレーンのフックに掛かりやすくするものである。そして、吊り上げフック３１と移動子３２との間は、棒材、板材、鎖、チェーン、ワイヤー等を使用して連結することができる。
【００４４】
ところで、本実施の形態の本体部１０は、通常、鋼板または木材板で形成され、略四角枠体に形成されるが、本発明を実施する場合には、概略の形状が略四角枠体に形成されておればよい。また、下部をホッパーの形状に合致させることもできる。また、本体部１０の下端に回動自在に取付けられ、観音開状に中央が左右に開く開閉扉２０は、本体部１０の底面端部を覆うように軸支するのが望ましい。通常、鋼板または木材板で形成され、空気供給機構５０の下端の開口に対応して、開口した形状となっている。吊り上げフック３１は、本体部１０の側面の略中央に沿って昇降自在としたもので、具体的には、本体部１０の側面の略中央に上下方向に伸びるレール３０を配設し、そのレール３０を吊り上げフック３１が摺動する構造とするのが望ましい。そして、吊り上げフック３１に一端が、他端が各開閉扉２０に軸支された二対の操作杆２３，２４は、両端部が軸支されておればよいから、棒材、板材、鎖、チェーン、ワイヤー等を使用することができる。本体部１０の少なくとも対向する側面に外方向に突出したストッパー４０は、本体部１０に上端開口に設けたフランジ１１ａとすることができる。当然ながら、４面に形成することができる。また、本体部１０の高さの中間位置に、配設することもできる。更に、本体部１０の上部に乾燥空気を供給する空気供給機構５０は、本体部１０の高さの１００％まで直接温風または乾燥空気を供給することを意味するものではなく、少なくとも２０〜３０％以上の高さを有しておればよく、温風または乾燥空気が効率よく収容物を乾燥できる空気まわりであればよい。
【００４５】
そして、上記実施の形態のハウジング６０には、内部には電動機６１及び当該電動機６１で駆動される温風送風機６２及びバーナ６３、制御器６４を内蔵しているが、本発明を実施する場合には、電動機６１で駆動される温風送風機６２及びバーナ６３、制御器６４の１以上をハウジング６０の外付けとすることができる。
【００４６】
更に、本体部１０の上部開口には、図示しない小さな空気通路を形成した蓋を設け、乾燥空気または加熱空気を本体部１０内に一時的に乾燥空気または加熱空気をこもらせて、熱効率をよくすることもできる。このとき、蓋に設ける小さな空気通路はパンチングメタルまたは複数の貫通孔とすることができる。何れにせよ、適当な排気が行える空気通路を形成する必要がある。
【００４７】
【発明の効果】
以上のように、請求項１における乾燥用コンテナは、内部を空間とした略四角筒状の本体部と、前記本体部の下端に回動自在に取付けられ、観音開状に中央が左右に開く開閉扉と、前記本体部の側面の略中央に沿って昇降自在とした吊り上げフックと、前記吊り上げフックに一端が取付けられ、他端が各開閉扉に軸支された二対の操作杆と、前記本体部の少なくとも対向する側面に外方向に突出したストッパーと、前記本体部の下部に配設され、下端が開口し、前記本体部の上部に乾燥空気を供給する空気供給機構とを具備するものである。
【００４８】
したがって、本体部の開閉扉を下にして、平面上に置いたとき本体部は密閉状態となり、本体部に対して上から収容物を自由に投入することができる。本体部の空気供給機構から温風または乾燥空気を供給することにより、乾燥対象物を乾燥することができる。本体部を持ち上げる場合は、吊り上げフックをクレーンのフックに引っ掛けて持上げれば、吊り上げフックは各開閉扉に軸支された二対の操作杆が上方向に持上げられるから、本体部の開閉扉は密閉状態を維持したまま、移動が可能となる。本体部の対向する側面に外方向に突出したストッパーを生産ラインのホッパー等に両側を引っ掛けると、本体部の下降が阻止され、吊り上げフックのみが下降する。吊り上げフックの下降により、開閉扉の中央が左右に開き、乾燥対象物を排出することができる。
【００４９】
よって、キー操作をすることなく、本体部から乾燥対象物の投入及び取出しが自由にできるから、乾燥対象物の収容及び乾燥後の乾燥対象物の取出しが容易で、かつ、収容物の乾燥が容易な乾燥用コンテナが得られる。
【００５０】
請求項２の乾燥用コンテナは、内部を空間とした角筒状の本体部と、前記本体部の下端に回動自在に取付けられ、観音開状に中央が左右に開く開閉扉と、前記本体部の側面の略中央に沿って昇降自在とした移動子と、前記移動子に取付けられた吊り上げフックと、前記移動子に一端が取付けられ、他端が吊り上げフックに取付けられた二対の連結杆と、前記移動子に一端が軸支され、他端が各開閉扉に軸支された二対の操作杆と、前記本体部の少なくとも対向する側面に外方向に突出したストッパーと、前記本体部の下部に配設され、下端が開口し、前記本体部の上部に乾燥空気を供給する空気供給機構とを具備するものである。
【００５１】
したがって、本体部の開閉扉を下にして、平面上に置いたとき本体部は密閉状態となり、本体部に対して上から収容物を自由に投入することができる。本体部の空気供給機構から温風または乾燥空気を供給することにより、乾燥対象物を乾燥することができる。本体部を持ち上げる場合は、吊り上げフックをクレーンのフックに引っ掛けてかけて持上げれば、直接連結されている移動子も上昇し、移動子は各開閉扉に軸支された二対の操作杆が上方向に持上げられるから、本体部の開閉扉は密閉状態を維持したまま、移動が可能となる。ここで、本体部の収容物を排出する場合には、クレーンのフックを下降させると本体部が下降する。そして、本体部の対向する側面に外方向に突出したストッパーを生産ラインのホッパー等の両側に引っ掛け、更にクレーンのフックを下降させると、移動子も下降し、本体部の下降が阻止され、吊り上げフック及び移動子のみが下降する。吊り上げフック及び移動子の下降により、開閉扉の中央が左右に開き、乾燥対象物を排出することができる。
【００５２】
よって、キー操作をすることなく、本体部から乾燥対象物の投入及び取出しが自由にできるから、乾燥対象物の収容及び乾燥後の乾燥対象物の取出しが容易で、かつ、収容物の乾燥が容易な乾燥用コンテナが得られる。
【００５３】
請求項３の発明にかかる乾燥用コンテナの前記空気供給機構は、直方体として、対向する面を金網で形成したものであるから、請求項１または請求項２の効果に加えて、乾燥対象物を下方から落下させる場合、本体部の水平断面開口が同一面積であるから、乾燥対象物を一揆に落下させるのに好適となる。
【００５４】
請求項４の発明にかかる乾燥用コンテナの前記空気供給機構は、上方に頂点を形成した二等辺三角形状としたものであるから、請求項１または請求項２の効果に加えて、乾燥対象物を下方から落下させる場合、本体部の水平断面開口が徐々に狭くなっているから、乾燥対象物を一揆に落下させることなく、徐々に落下させるのに好適である。
【図面の簡単な説明】
【図１】図１は本発明の実施の形態１の乾燥用コンテナと乾燥装置の組み合わせを示す正面図である。
【図２】図２は本発明の実施１の形態の乾燥用コンテナと乾燥装置の組み合わせを示す側面図である。
【図３】図３は本発明の実施１の形態の乾燥用コンテナの扉開放状態を示す正面図である。
【図４】図４は本発明の実施２の形態の乾燥用コンテナと乾燥装置の組み合わせを示す正面図である。
【図５】図５は本発明の実施２の形態の乾燥用コンテナの扉開放状態を示す正面図である。
【図６】図６は本発明の実施３の形態の乾燥用コンテナの扉開放状態を示す正面図である。
【図７】図７は本発明の実施３の形態の乾燥用コンテナと乾燥装置の組み合わせを示す側面図である。
【図８】図８は本発明の実施３の形態の乾燥用コンテナと乾燥装置の組み合わせを示す平面図である。
【符号の説明】
１０    本体部
２０    開閉扉
２３，２４    操作杆
３０    レール
３１    吊り上げフック
３２    移動子
３３    連結杆
５０    空気供給機構
６０    ハウジング
【図１】
2004263879.tif 000003
【図２】
2004263879.tif 000004
【図３】
2004263879.tif 000005
【図４】
2004263879.tif 000006
【図５】
2004263879.tif 000007
【図６】
2004263879.tif 000008
【図７】
2004263879.tif 000009
【図８】
2004263879.tif 000010